(57)【要約】【課題】単に方向性を示すだけでなく、マークのデザインによって目標方向にボールを打つイメージを視覚的に促すことのできるゴルフボールを提供する。【解決手段】所定の方向性を有するマーク４を、特定の方向に方向性を有しない図形からなる第１のマーク部４ａと、第１のマーク部４ａに向かうように長手方向に方向性を有する図形からなる第２のマーク部４ｂとから形成したので、マーク４の全体によって方向性が示されるとともに、第１のマーク部４ａに向かって第２のマーク部４ｂが方向性を有することにより、目標方向にボールを正確に打ち出すイメージを視覚的に促すことができ、このようなマーク４のデザインによって正確なショットのイメージを心理的に抱かせることができる。【選択図】図２
0003132585.tif 000002
【実用新案登録請求の範囲】
【請求項１】
ボール本体の表面に所定の方向性を示すマークを有するゴルフボールにおいて、
前記マークを、特定の方向に方向性を有しない図形からなる第１のマーク部と、第１のマーク部に向かうように長手方向に方向性を有する図形からなる第２のマーク部とから形成した
ことを特徴とするゴルフボール。
【請求項２】
前記第１のマーク部を円形に形成し、
第２のマーク部を長手方向の一端側が他端側よりも第１のマーク部に向かって徐々に幅が小さくなる略三角形状に形成した
ことを特徴とする請求項１記載のゴルフボール。
【請求項３】
前記第２のマーク部を、他端側の最大幅部分から一端部までの輪郭線が直線状または変曲点のない緩やかな曲線状をなすように形成した
ことを特徴とする請求項２記載のゴルフボール。
【請求項４】
前記マークを、第１のマーク部の外径を第２のマーク部の他端側の最大幅で除した値が０．３以上０．８以下になるように形成した
ことを特徴とする請求項２または３記載のゴルフボール。
【請求項５】
前記マークを、第２のマーク部の長手方向中央部の幅を第２のマーク部の他端側の最大幅で除した値が０．３以上０．６以下になるように形成した
ことを特徴とする請求項２、３または４記載のゴルフボール。
【請求項６】
前記マークを、第２のマーク部の他端側の最大幅をマークの長手方向の全長で除した値が０．２以上０．５以下になるように形成した
ことを特徴とする請求項２、３、４または５記載のゴルフボール。
【請求項７】
前記マークを、マークの長手方向における第１のマーク部と第２のマーク部との間隔をマークの長手方向の全長で除した値が０．０３以上０．２０以下になるように形成した
ことを特徴とする請求項２、３、４、５または６記載のゴルフボール。
【請求項８】
前記マークを、マークの長手方向における第１のマーク部と第２のマーク部との間隔が第２のマーク部の他端側の最大幅部分から他端までの長さよりも大きくなるように形成した
ことを特徴とする請求項２、３、４、５、６または７記載のゴルフボール。
【請求項９】
前記マークを、第２のマーク部の長手方向中央部の幅が第２のマーク部の他端側の最大幅よりも小さくなるように形成した
ことを特徴とする請求項２、３、４、５、６、７または８記載のゴルフボール。
【請求項１０】
前記マークを、長手方向の全長が１０ｍｍ以上２５ｍｍ以下になるように形成した
ことを特徴とする請求項１、２、３、４、５、６、７、８または９記載のゴルフボール。
【考案の詳細な説明】
【技術分野】
【０００１】
本考案は、ゴルフコースやゴルフ練習場等で用いられるゴルフボールに関するものである。
【背景技術】
【０００２】
一般に、ゴルフにおいてはショットの方向性が重視されるが、ゴルファーの技量、周囲の景色による錯覚、ライの傾斜など、実際のプレーではショットの方向性に影響を与える様々な要因があるため、意図した方向に正確にボールを打ち出すことは必ずしも容易ではない。そこで、ボール本体の表面に、単一の直線、十字状線、Ｔ字状線等、所定の方向性を有するマークを設け、このマークを打ち出し方向の確認に利用可能にしたゴルフボールが知られている（例えば、特許文献１参照。）。このゴルフボールによれば、マークを目標方向に合わせてアドレスし、マークに沿って打ち出すことによりショットの方向性を高めることが期待できる。
【特許文献１】特開２００３−１５４０３８号公報
【考案の開示】
【考案が解決しようとする課題】
【０００３】
しかしながら、前記従来例のマークは、単に直線によって方向性が示されているにすぎないため、目標方向に「ボールを打つ」というイメージを視覚的に促すことができず、正確なショットを導くためのデザイン的工夫が足りないという問題点があった。
【０００４】
本考案は前記問題点に鑑みてなされたものであり、その目的とするところは、単に方向性を示すだけでなく、マークのデザインによって目標方向にボールを打つイメージを視覚的に促すことのできるゴルフボールを提供することにある。
【課題を解決するための手段】
【０００５】
本考案は前記目的を達成するために、ボール本体の表面に所定の方向性を示すマークを有するゴルフボールにおいて、前記マークを、特定の方向に方向性を有しない図形からなる第１のマーク部と、第１のマーク部に向かうように長手方向に方向性を有する図形からなる第２のマーク部とから形成している。
【０００６】
これにより、マークの全体によって方向性が示されるとともに、第１のマーク部に向かって第２のマーク部が方向性を有することから、目標方向にボールを正確に打ち出すイメージが視覚的に促される。
【考案の効果】
【０００７】
本考案によれば、単に方向性を示すだけでなく、マークのデザインによって目標方向にボールを正確に打ち出すイメージを視覚的に促すことができるので、正確なショットのイメージを心理的に抱かせることができ、ショットの方向性の向上を図ることができる。
【考案を実施するための最良の形態】
【０００８】
図１乃至図４は本考案の一実施形態を示すもので、図１はゴルフボールの正面図、図２はその背面図、図３はマークの拡大図、図４はゴルフボールのショット時を示す平面図である。
【０００９】
このゴルフボールは、ボール本体１の表面に、商品名等からなる銘柄表示２と、数字からなる番号表示３と、打ち出し方向の確認に利用可能な所定の方向性を示すマーク４とを有し、銘柄表示２及び番号表示３はボール本体１の正面側（一方の半球面側）と背面側（他方の半球面側）にそれぞれ一つずつ配置され、マーク４はボール本体１の一側面側（一方の銘柄表示２及び番号表示３と他方の銘柄表示２及び番号表示３との間）に配置されている。尚、ボール本体１の表面に設けられるディンプルの図示は省略する。
【００１０】
マーク４は、特定の方向に方向性を有しない円形の図形からなる第１のマーク部４ａと、第１のマーク部４ａに向かうように方向性を有する略三角形状の図形からなる第２のマーク部４ｂとからなり、ボール本体１の表面に所定の色（例えば、黒色）で印刷されている。第２のマーク部４ｂは、長手方向の一端側が他端側よりも第１のマーク部４ａに向かって徐々に幅が小さくなるように形成され、長手方向の一端部及び長手方向の他端側の幅方向両端部はそれぞれ円弧状に面取りされている。この場合、第２のマーク部４ｂは、他端側の最大幅部分から一端部までの輪郭線が幅方向内側に向かって凹状をなす緩やかな曲線により形成されている。
【００１１】
第１のマーク部４ａと第２のマーク部４ｂの長手方向一端との間には所定の間隔Ｌ1 が設けられ、間隔Ｌ1 は第２のマーク部４ａの他端側の最大幅部分から他端までの長さＬ2 よりも大きくなっている。また、マーク４は、第１のマーク部４ａの外径Ｄを第２のマーク部４ｂの他端側の最大幅Ｗ1 で除した値が０．３以上０．８以下、第２のマーク部４ｂの長手方向の全長Ｌ3 の中央部の幅Ｗ2 を第２のマーク部４ｂの他端側の最大幅Ｗ1 で除した値が０．３以上０．６以下、第２のマーク部４ｂの他端側の最大幅Ｗ1 をマーク４の長手方向の全長Ｌ4 で除した値が０．２以上０．５以下、マーク４の長手方向における第１のマーク部４ａと第２のマーク部４ｂとの間隔Ｌ1 をマーク４の長手方向の全長Ｌ4 で除した値が０．０３以上０．２０以下、マーク４の長手方向の全長Ｌ4 が１０ｍｍ以上２５ｍｍ以下になるように形成されている。更に、マーク４は、マーク４の長手方向における第１のマーク部４ａと第２のマーク部４ｂとの間隔Ｌ1 が第２のマーク部４ａの他端側の最大幅部分から他端までの長さＬ2 以下になるように形成されている。
【００１２】
以上のように構成されたゴルフボールを使用する場合には、図４に示すようにマーク４の第１のマーク部４ａが打ち出し方向の前方となるように第２のマーク部４ｂを打ち出し方向に平行に合わせてアドレスし、ゴルフクラブ５のフェース５ａをマーク４が示す方向に直角になるようにして打ち出すことにより、ショットの方向性を高めることができる。その際、例えばマーク４の第１のマーク部４ａがボールをイメージさせ、第２のマーク部４ｂがボールの飛球線をイメージさせることから、目標方向に正確にボールを打つイメージが視覚的に促される。
【００１３】
このように、本実施形態のゴルフボールによれば、所定の方向性を有するマーク４を、特定の方向に方向性を有しない図形からなる第１のマーク部４ａと、第１のマーク部４ａに向かうように長手方向に方向性を有する図形からなる第２のマーク部４ｂとから形成したので、マーク４の全体によって方向性が示されるとともに、第１のマーク部４ａに向かって第２のマーク部４ｂが方向性を有することにより、目標方向にボールを正確に打ち出すイメージを視覚的に促すことができ、このようなマーク４のデザインによって正確なショットのイメージを心理的に抱かせることができる。
【００１４】
また、第１のマーク部４ａを円形に形成し、第２のマーク部４ｂを長手方向の一端側が他端側よりも第１のマーク部に向かって徐々に幅が小さくなる略三角形状に形成したので、第１のマーク部４ａがボールをイメージさせ、第２のマーク部４ｂがボールの飛球線をイメージさせることから、目標方向にボールを打ち出すイメージをより高めることができるとともに、デザイン性にも優れたマーク４を形成することができる。
【００１５】
この場合、第１のマーク部４ａの外径Ｄを第２のマーク部４ｂの他端側の最大幅Ｗ1 で除した値が０．３よりも小さいと、第１のマーク部４ａに対して第２のマーク部４ｂの他端側が大きくなりすぎて向きを合わせずらくなり、この値が０．８よりも大きいと、第１のマーク部４ａに対して第２のマーク部４ｂの他端側が小さくなりすぎて、第１のマーク部４ａに対する第２のマーク部４ｂの方向性が低下するため、この値は０．３以上０．８以下が好ましい。
【００１６】
また、第２のマーク部４ｂの長手方向の全長Ｌ3 の中央部の幅Ｗ2 を第２のマーク部４ｂの他端側の最大幅Ｗ1 で除した値が０．３よりも小さいと、第２のマーク部４ｂの一端側に対して他端側が大きくなりすぎて向きを合わせずらくなり、この値が０．６よりも大きいと、第２のマーク部４ｂの他端側が一端側に向かう方向性が低下するため、この値は０．３以上０．６以下が好ましい。
【００１７】
更に、第２のマーク部４ｂの他端側の最大幅Ｗ1 をマーク４の長手方向の全長Ｌ4 で除した値が０．２よりも小さいと、マーク４の全長Ｌ4 に対して第２のマーク部４ｂの他端側が小さくなりすぎて、マーク４の全体の方向性が低下し、この値が０．５よりも大きいと、マーク４の全長Ｌ4 に対して第２のマーク部４ｂの他端側が大きくなりすぎて向きを合わせずらくなるため、この値は０．２以上０．５以下が好ましい。
【００１８】
また、マーク４の長手方向における第１のマーク部４ａと第２のマーク部４ｂとの間隔Ｌ1 をマーク４の長手方向の全長Ｌ4 で除した値が０．０３よりも小さいと、第１のマーク部４ａと第２のマーク部４ｂが互いに近づきすぎて、ボールと飛球線のイメージが低下し、この値が０．２０よりも大きいと、第１のマーク部４ａと第２のマーク部４ｂが互いに離れすぎて、この場合もボールと飛球線のイメージが低下するため、この値は０．０２以上０．３０以下が好ましい。
【００１９】
更に、マーク４の長手方向における第１のマーク部４ａと第２のマーク部４ｂとの間隔Ｌ1 が第２のマーク部４ｂの他端側の最大幅部分から他端までの長さＬ2 以下であると、ボールの飛球線のイメージが低下するため、間隔Ｌ1 は長さＬ2 よりも大きくすることが好ましい。
【００２０】
また、第２のマーク部４ｂの全長Ｌ3 の中央部の幅Ｗ2 が第２のマーク部４ｂの他端側の最大幅Ｗ1 以上であると、第２のマーク部４ｂの他端側が一端側に向かう方向性が低下するため、中央部の幅Ｗ2 は他端側の最大幅Ｗ1 よりも小さくすることが好ましい。
【００２１】
更に、マーク４の長手方向の全長Ｌ4 が１０ｍｍよりも小さいと、アドレス時に視認しずらくなり、全長Ｌ4 が２５ｍｍよりも大きいと、ボール本体１の球面によるマーク４の湾曲が大きくなりすぎて、マーク４の長手方向両端側が見えずらくなるため、全長Ｌ4 が１０ｍｍ以上２５ｍｍ以下が好ましい。
【００２２】
尚、前記実施形態では、第１のマーク部４ａを円形に形成したものを示したが、特定の方向に方向性を有しない図形であれば、多角形状や星形等、他の形状であってもよい。また、前記実施形態では、第２のマーク部４ｂを他端側の最大幅部分から一端部までの輪郭線が緩やかな曲線状をなすように形成したものを示したが、直線状の輪郭線であってもよい。更に、前記実施形態では、第２のマーク部４ｂを略三角形状に円形に形成したものを示したが、第１のマーク部４ａに向かう方向性を有する図形であれば、矢印状や複数の三角形を一列に配列したものなど、他の形状であってもよい。
【図面の簡単な説明】
【００２３】
【図１】本考案の一実施形態を示すゴルフボールの正面図
【図２】ゴルフボールの背面図
【図３】マークの拡大図
【図４】ゴルフボールのショット時を示す平面図
【符号の説明】
【００２４】
１…ボール本体、４…マーク、４ａ…第１のマーク部、４ｂ…第２のマーク部。
【図１】
0003132585.tif 000003
【図２】
0003132585.tif 000004
【図３】
0003132585.tif 000005
【図４】
0003132585.tif 000006
【手続補正書】
【提出日】平成19年4月18日(2007.4.18)
【手続補正１】
【補正対象書類名】明細書
【補正対象項目名】０００８
【補正方法】変更
【補正の内容】
【０００８】
図１乃至図４は本考案の一実施形態を示すもので、図１はゴルフボールの正面図、図２はその側面図、図３はマークの拡大図、図４はゴルフボールのショット時を示す平面図である。
【手続補正２】
【補正対象書類名】明細書
【補正対象項目名】００１１
【補正方法】変更
【補正の内容】
【００１１】
第１のマーク部４ａと第２のマーク部４ｂの長手方向一端との間には所定の間隔Ｌ1 が設けられ、間隔Ｌ1 は第２のマーク部４ｂの他端側の最大幅部分から他端までの長さＬ2 よりも大きくなっている。また、マーク４は、第１のマーク部４ａの外径Ｄを第２のマーク部４ｂの他端側の最大幅Ｗ1 で除した値が０．３以上０．８以下、第２のマーク部４ｂの長手方向の全長Ｌ3 の中央部の幅Ｗ2 を第２のマーク部４ｂの他端側の最大幅Ｗ1 で除した値が０．３以上０．６以下、第２のマーク部４ｂの他端側の最大幅Ｗ1 をマーク４の長手方向の全長Ｌ4 で除した値が０．２以上０．５以下、マーク４の長手方向における第１のマーク部４ａと第２のマーク部４ｂとの間隔Ｌ1 をマーク４の長手方向の全長Ｌ4 で除した値が０．０３以上０．２０以下、マーク４の長手方向の全長Ｌ4 が１０ｍｍ以上２５ｍｍ以下になるように形成されている。更に、マーク４は、マーク４の長手方向における第１のマーク部４ａと第２のマーク部４ｂとの間隔Ｌ1 が第２のマーク部４ｂの他端側の最大幅部分から他端までの長さＬ2 以下になるように形成されている。
【手続補正３】
【補正対象書類名】明細書
【補正対象項目名】００２３
【補正方法】変更
【補正の内容】
【００２３】
【図１】本考案の一実施形態を示すゴルフボールの正面図
【図２】ゴルフボールの側面図
【図３】マークの拡大図
【図４】ゴルフボールのショット時を示す平面図
【手続補正４】
【補正対象書類名】図面
【補正対象項目名】図４
【補正方法】変更
【補正の内容】
【図４】
0003132585.tif 000007